(57)【要約】【課題】空腹時血中インスリンと空腹時血糖とを用いて、インスリン抵抗性指数としてのＨＯＭＡ−Ｒが正常な範囲にあるのかどうかなどを容易に知ることができるＨＯＭＡ−Ｒ読み取りシートを提供する。【解決手段】空腹時血中インスリンを示す第１の軸１１と、第１の軸１１に直交し、空腹時血糖を示す第２の軸１２と、インスリン抵抗性指数としてのＨＯＭＡ−Ｒ（ここで、「ＨＯＭＡ−Ｒ＝空腹時血糖（ｍｇ／ｄｌ）×空腹時血中インスリン（μＵ／ｍｌ）／４０５」である）が第１の値（＝１．６）となる場合の空腹時血中インスリンと空腹時血糖との関係を示す第１の双曲線２１と、ＨＯＭＡ−Ｒが第２の値（＝２．５）となる場合の空腹時血中インスリンと空腹時血糖との関係を示す第２の双曲線２２とを表す。【選択図】図１
0003144622.tif 000002
【実用新案登録請求の範囲】
【請求項１】
空腹時血糖を示す第１の軸と、
前記第１の軸に直交し、空腹時血中インスリンを示す第２の軸と、
インスリン抵抗性指数としてのＨＯＭＡ−Ｒ（ここで、「ＨＯＭＡ−Ｒ＝空腹時血糖（ｍｇ／ｄｌ）×空腹時血中インスリン（μＵ／ｍｌ）／４０５」である）が第１から第Ｎ（Ｎは１以上の整数である）の値となる場合の空腹時血中インスリンと空腹時血糖との関係をそれぞれ示す第１から第Ｎの双曲線と、を表すＨＯＭＡ−Ｒ読み取りシート。
【請求項２】
前記第１から第Ｎの双曲線によって分けられたＮ＋１個の領域は、領域ごとに異なる色で着色されている、請求項１記載のＨＯＭＡ−Ｒ読み取りシート。
【請求項３】
Ｎは２であり、
前記ＨＯＭＡ−Ｒの第１の値は１．６であり、前記ＨＯＭＡ−Ｒの第２の値は２．５である、請求項１または請求項２記載のＨＯＭＡ−Ｒ読み取りシート。
【請求項４】
ＨＯＭＡ−Ｒが所定の値ごとの空腹時血中インスリンと空腹時血糖との関係を示す複数の補助双曲線をさらに表す、請求項１から請求項３のいずれか記載のＨＯＭＡ−Ｒ読み取りシート。
【請求項５】
空腹時血糖が所定の値ごとの目盛線と、
空腹時血中インスリンが所定の値ごとの目盛線と、をさらに表す、請求項１から請求項４のいずれか記載のＨＯＭＡ−Ｒ読み取りシート。
【請求項６】
空腹時血糖が第１から第Ｍ（Ｍは１以上の整数である）の値となる直線をそれぞれ示す第１から第Ｍの直線をさらに表す、請求項１から請求項５のいずれか記載のＨＯＭＡ−Ｒ読み取りシート。
【請求項７】
Ｍは２であり、
前記空腹時血糖の第１の値は１１０（ｍｇ／ｄｌ）であり、前記空腹時血糖の第２の値は１２６（ｍｇ／ｄｌ）である、請求項６記載のＨＯＭＡ−Ｒ読み取りシート。
【考案の詳細な説明】
【技術分野】
【０００１】
本考案は、空腹時血中インスリンと空腹時血糖とを直交する２軸にとったグラフを表すＨＯＭＡ−Ｒ読み取りシートに関する。
【背景技術】
【０００２】
従来、インスリン抵抗性を調べる簡便な方法として、インスリン抵抗性指数を確認する方法が知られている。そのインスリン抵抗性指数の一つとして、ＨＯＭＡ−Ｒ（ｈｏｍｅｏｓｔａｓｉｓ  ｍｏｄｅｌ  ａｓｓｅｓｓｍｅｎｔ  ｒａｔｉｏ、または、ｈｏｍｅｏｓｔａｓｉｓ  ｍｏｄｅｌ  ａｓｓｅｓｓｍｅｎｔ  ａｓ  ａｎ  ｉｎｄｅｘ  ｏｆ  ｉｎｓｕｌｉｎ  ｒｅｓｉｓｔａｎｃｅ）が知られている。それは、次式のようにして求めることができる（例えば、非特許文献１参照）。そのＨＯＭＡ−Ｒの値が、１．６以下の場合は正常であり、２．５以上の場合にインスリン抵抗性があると考えられる。ただし、インスリン治療中の患者には用いない。
ＨＯＭＡ−Ｒ＝
空腹時血糖（ｍｇ／ｄｌ）×空腹時血中インスリン（μＵ／ｍｌ）／４０５
【非特許文献１】日本糖尿病学会編、「糖尿病治療ガイド２００８−２００９」、文光堂、２００８年２月、ｐ．１０
【考案の開示】
【考案が解決しようとする課題】
【０００３】
しかしながら、上記の式を用いて医師等がインスリン抵抗性指数（ＨＯＭＡ−Ｒ）を算出するためには、電卓等を用いる必要があり、多忙な臨床において余計な手間となるために、この指数が用いられないということがあった。また、インスリン抵抗性があったとしても、その程度がわかりにくいという問題もあった。
【０００４】
一方、上記の式を用いてＨＯＭＡ−Ｒを算出する一般的な目的は、ＨＯＭＡ−Ｒの値を算出した上で、ＨＯＭＡ−Ｒが正常範囲にあるのか、あるいは、異常な範囲にあるのかなどのインスリン抵抗性に関する情報を知るためであることが多かった。
【０００５】
本考案は、上記の状況を考慮してなされたものであり、その一の目的は、空腹時血中インスリンと、空腹時血糖とを用いて、インスリン抵抗性指数の一つであるＨＯＭＡ−Ｒが正常な範囲にあるのかどうかなどのインスリン抵抗性に関する情報を容易に知ることができるＨＯＭＡ−Ｒ読み取りシートを提供することである。また、本考案の他の目的は、電卓等を用いることなく、ＨＯＭＡ−Ｒのおおよその値を読み取ることができるＨＯＭＡ−Ｒ読み取りシートを提供することである。
【課題を解決するための手段】
【０００６】
上記目的を達成するため、本考案によるＨＯＭＡ−Ｒ読み取りシートは、  空腹時血糖を示す第１の軸と、前記第１の軸に直交し、空腹時血中インスリンを示す第２の軸と、インスリン抵抗性指数としてのＨＯＭＡ−Ｒ（ここで、「ＨＯＭＡ−Ｒ＝空腹時血糖（ｍｇ／ｄｌ）×空腹時血中インスリン（μＵ／ｍｌ）／４０５」である）が第１から第Ｎ（Ｎは１以上の整数である）の値となる場合の空腹時血中インスリンと空腹時血糖との関係をそれぞれ示す第１から第Ｎの双曲線と、を表すものである。
【０００７】
このような構成により、空腹時血中インスリンと空腹時血糖とが分かれば、ＨＯＭＡ−Ｒ読み取りシートを用いて、インスリン抵抗性指数としてのＨＯＭＡ−Ｒが、第１から第Ｎの双曲線によって分けられたＮ＋１個の領域のうちのどの領域に存在するのかを容易に知ることができる。したがって、第１から第Ｎの値を適切に設定しておくことにより、例えば、ＨＯＭＡ−Ｒが正常な範囲に存在するのか、あるいは、異常な範囲に存在するのかなどを容易に知ることができるようになる。また、異常な範囲に存在する場合に、その異常の程度を視覚的に容易に把握することができるようになる。
【０００８】
また、本考案によるＨＯＭＡ−Ｒ読み取りシートでは、前記第１から第Ｎの双曲線によって分けられたＮ＋１個の領域は、領域ごとに異なる色で着色されていてもよい。
このような構成により、Ｎ＋１個の領域を容易に識別可能なようにすることができうる。
【０００９】
また、本考案によるＨＯＭＡ−Ｒ読み取りシートでは、ＨＯＭＡ−Ｒが所定の値ごとの空腹時血中インスリンと空腹時血糖との関係を示す複数の補助双曲線をさらに表してもよい。
このような構成により、補助双曲線を用いて、例えば、ＨＯＭＡ−Ｒのおおよその値を知ることができるようになる。
【００１０】
また、本考案によるＨＯＭＡ−Ｒ読み取りシートでは、空腹時血糖が所定の値ごとの目盛線と、空腹時血中インスリンが所定の値ごとの目盛線と、をさらに表してもよい。
このような構成により、それらの目盛線を用いることによって、空腹時血中インスリンと空腹時血糖からＨＯＭＡ−Ｒがどの領域に存在するのかを確認する作業が容易になるメリットがある。
【００１１】
また、本考案によるＨＯＭＡ−Ｒ読み取りシートでは、空腹時血糖が第１から第Ｍ（Ｍは１以上の整数である）の値となる直線をそれぞれ示す第１から第Ｍの直線をさらに表してもよい。
【００１２】
このような構成により、空腹時血糖が、第１から第Ｍの直線によって分けられたＭ＋１個の領域のうちのどの領域に存在するのかを容易に知ることができる。したがって、空腹時血糖の第１から第Ｍの値を適切に設定しておくことにより、例えば、空腹時血糖が正常な範囲に存在するのか、あるいは、異常な範囲に存在するのかなどを容易に知ることができるようになる。
【考案の効果】
【００１３】
本考案によるＨＯＭＡ−Ｒ読み取りシートによれば、空腹時血中インスリンと、空腹時血糖とを用いて、例えば、インスリン抵抗性指数としてのＨＯＭＡ−Ｒが正常な範囲にあるのかどうかを容易に知ることができるようになる。また、本考案によるＨＯＭＡ−Ｒ読み取りシートが補助双曲線をさらに表示している場合には、ＨＯＭＡ−Ｒのおおよその値を読み取ることができるようになる。
【考案を実施するための最良の形態】
【００１４】
以下、本考案によるＨＯＭＡ−Ｒ読み取りシートについて、実施の形態を用いて説明する。なお、以下の実施の形態において、同じ符号を付した構成要素は同一または相当するものであり、再度の説明を省略することがある。
【００１５】
（実施の形態１）
本考案の実施の形態１によるＨＯＭＡ−Ｒ読み取りシートについて、図面を参照しながら説明する。
図１は、本実施の形態によるＨＯＭＡ−Ｒ読み取りシート１を示す図である。図１において、本実施の形態によるＨＯＭＡ−Ｒ読み取りシート１では、第１の軸１１と、第２の軸１２と、第１の双曲線２１と、第２の双曲線２２とが表示されている。
【００１６】
第１の軸１１は、変数である空腹時血糖（ｍｇ／ｄｌ）を示す軸である。また、第２の軸１２は、変数である空腹時血中インスリン（μＵ／ｍｌ）を示す軸である。なお、第２の軸１２は、第１の軸に直交している。なお、図１では、空腹時血糖を横軸にとり、空腹時血中インスリンを縦軸にとっているが、その逆であってもよいことは言うまでもない。また、第１の軸１１の近傍に、図１で示されるように、その軸で示している変数が空腹時血糖であることを示す情報、例えば、「空腹時血糖」の文字列が表示されていてもよい。また、その第１の軸１１に、図１で示されるように、目盛と数値が表示されていてもよい。第２の軸１２についても同様であり、第２の軸１２の近傍に、その軸で示している変数が空腹時血中インスリンであることを示す情報、例えば、「空腹時血中インスリン」の文字列が表示されていてもよい。また、その第２の軸１２に、目盛と数値が表示されていてもよい。
【００１７】
第１の双曲線２１は、インスリン抵抗性指数としてのＨＯＭＡ−Ｒが第１の値となる場合の空腹時血中インスリンと空腹時血糖との関係を示す双曲線である。また、第２の双曲線２２は、ＨＯＭＡ−Ｒが第２の値となる場合の空腹時血中インスリンと空腹時血糖との関係を示す双曲線である。ここで、ＨＯＭＡ−Ｒは、前述の通りであり、次式で表されるものである。
ＨＯＭＡ−Ｒ＝
空腹時血糖（ｍｇ／ｄｌ）×空腹時血中インスリン（μＵ／ｍｌ）／４０５
【００１８】
この式から明らかなように、ＨＯＭＡ−Ｒが一定の値である曲線は、双曲線となる。また、本実施の形態では、ＨＯＭＡ−Ｒの第１の値は「１．６」であり、第２の値は「２．５」であるとする。なお、これらの値は、それらと別の適切な値であってもよいことは言うまでもない。
【００１９】
このＨＯＭＡ−Ｒ読み取りシート１で表示されるグラフでは、第１の双曲線２１と、第２の双曲線２２とによって座標平面が３個の領域に分けられている。すなわち、第１の軸１１と、第２の軸１２と、第１の双曲線２１とによって区切られる領域（この領域を「第１の領域」と呼ぶことにする）と、第２の軸１２と、第１の双曲線２１と、第２の双曲線２２とによって区切られる領域（この領域を「第２の領域」と呼ぶことにする）と、第２の双曲線２２によって区切られる領域（この領域を「第３の領域」と呼ぶことにする）とに分けられている。なお、第１の双曲線２１は、ＨＯＭＡ−Ｒが１．６の双曲線であり、第２の双曲線２２は、ＨＯＭＡ−Ｒが２．５の双曲線であるため、第１の領域は、ＨＯＭＡ−Ｒが１．６より小さい領域となり、第２の領域は、ＨＯＭＡ−Ｒが１．６から２．５の間の領域となり、第３の領域は、ＨＯＭＡ−Ｒが２．５より大きい領域となる。図１では、それらの領域ごとに異なる種類の網掛けを行っているが、それらの網掛けは異なる色に対応していてもよい。すなわち、第１の双曲線２１と、第２の双曲線２２とによって分けられた３個の領域、すなわち、第１から第３の領域は、領域ごとに異なる色で着色されていてもよい。ＨＯＭＡ−Ｒ読み取りシート１は、例えば、紙のシートや樹脂フィルムのシート等であってもよく、そのシートに第１及び第２の軸１１，１２や、第１及び第２の双曲線２１，２２、着色された領域等が印刷等されることによって、ＨＯＭＡ−Ｒ読み取りシート１が構成されてもよい。
【００２０】
次に、このＨＯＭＡ−Ｒ読み取りシート１の使用方法について簡単に説明する。ある被験者が、自らのインスリン抵抗性指数としてのＨＯＭＡ−Ｒが正常であるかどうかを知るために、空腹時血中インスリンと、空腹時血糖とを測定したとする。その結果、空腹時血中インスリンがＡ（μＵ／ｍｌ）であり、空腹時血糖がＢ（ｍｇ／ｄｌ）であったとする。すると、その被験者は、図１で示されるＨＯＭＡ−Ｒ読み取りシート１を参照し、空腹時血中インスリン、すなわち第２の軸１２の値がＡであり、空腹時血糖、すなわち第１の軸１１の値がＢである座標平面上の点を特定する。そして、その特定した点が、どの領域に存在するのかを確認する。例えば、Ａ＝４であり、Ｂ＝９０であったとすると、その点は第１の領域に存在することになる。第１の領域はＨＯＭＡ−Ｒが１．６より小さい領域であるため、「インスリン抵抗性なし」であると判断することができる。一方、第３の領域に存在するのであれば、ＨＯＭＡ−Ｒが２．５より大きいため、「インスリン抵抗性あり」であると判断することができる。また、第２の領域に存在するのであれば、ＨＯＭＡ−Ｒが１．６から２．５の間であるため、「インスリン抵抗性ややあり」であると判断することができる。なお、その判断を容易にするため、図１で示されるように、領域ごとに「インスリン抵抗性なし」「インスリン抵抗性ややあり」「インスリン抵抗性あり」の文言を表示していてもよい。
【００２１】
以上のように、本実施の形態によるＨＯＭＡ−Ｒ読み取りシート１によれば、電卓等の計算機を用いることなく、空腹時血中インスリンと空腹時血糖とを用いて、インスリン抵抗性指数としてのＨＯＭＡ−Ｒがどの範囲にあるのかを見ることができ、インスリン抵抗性なしなのか、インスリン抵抗性ややありなのか、インスリン抵抗性ありなのかを容易に知ることができる。したがって、インスリン抵抗性を確認したい医師等の利便性を高めることができるというメリットがある。
【００２２】
なお、一般にＨＯＭＡ−Ｒが「１．６」よりも小さい場合がインスリン抵抗性なしであり、ＨＯＭＡ−Ｒが「２．５」よりも大きい場合がインスリン抵抗性ありであると判断されることが多いため、本実施の形態では、第１の値を「１．６」として、第２の値を「２．５」としたが、第１及び第２の値は、それらに限定されるものではない。例えば、学説や研究結果等に応じて、第１の値を「１．５」に設定してもよく、第２の値を「２．６」に設定してもよい。
【００２３】
また、第１の双曲線２１、及び第２の双曲線２２は、図１で示されるように、それらの双曲線が明らかに描かれているものであってもよく、あるいは、結果としてその双曲線の位置が分かるようになっていてもよい。後者の場合としては、例えば、第１の領域と第２の領域とが異なる色であることによって、その領域の境界である第１の双曲線２１の位置が分かるような場合がある。
【００２４】
また、第１から第３の領域の色は、その領域の性質に適合したものであることが好適である。例えば、第３の領域は、「インスリン抵抗性あり」の領域であるため、好ましくないことを想起させる赤色等で着色されることが好適である。また、第１の領域は「インスリン抵抗性なし」の領域であるため、正常であることを想起させる青色や緑色で着色されることが好適である。また、第２の領域は、その中間であるため、注意を喚起する黄色等で着色されることが好適である。なお、これらは一例であって、各領域が着色される場合における各領域の色が限定されないものであることはいうまでもない。
【００２５】
また、本実施の形態では、第１から第３の領域が領域ごとに異なる色で着色されている場合について説明したが、そうでなくてもよい。領域ごとに異なる網掛けがなされてもよく、領域ごとに異なる明度にされてもよい。また、領域ごとに異なる着色や網掛け等が何もなされていなくてもよい。その場合であっても、第１の双曲線２１と第２の双曲線２２とによって、領域を区別することができる。
【００２６】
また、図１では、領域ごとに、その領域に含まれるインスリン抵抗性を示す文字列「インスリン抵抗性なし」「インスリン抵抗性ややあり」「インスリン抵抗性あり」を表示する場合について説明したが、領域ごとに表示される文言は、それらに限定されるものではない。例えば、第１の領域に「正常」を表示し、第２の領域に「要注意」を表示し、第３の領域に「異常」を表示してもよい。また、そのような領域を特徴付ける文言を領域ごとに表示しないようにしてもよい。
【００２７】
また、ＨＯＭＡ−Ｒがどの領域に属するかに応じて、インスリン抵抗性が適正かどうかを判断する場合について主に説明したが、ＨＯＭＡ−Ｒがどの領域に属するかに応じて、使用する薬を判断してもよい。例えば、第１の領域では薬ＡＡＡを用い、第２の領域では薬ＢＢＢを用い、第３の領域では薬ＣＣＣを用いる、となっていてもよい。また、そのような場合には、各領域を特徴付ける文言として、その薬の名称を領域ごとに表示してもよい。例えば、第１の領域に「薬ＡＡＡ」を表示し、第２の領域に「薬ＢＢＢ」を表示し、第３の領域に「薬ＣＣＣ」を表示するようにしてもよい。
【００２８】
また、図１では、２個の双曲線、すなわち、第１及び第２の双曲線２１，２２によって座標平面が３個の領域に分けられている場合について示しているが、そうでなくてもよい。例えば、１個の双曲線によって座標平面が２個の領域に分けられてもよく、３個の双曲線によって座標平面が４個の領域に分けられてもよい（例えば、ＨＯＭＡ−Ｒが１．０の双曲線と、１．６の双曲線と、２．５の双曲線によって、４個の領域に分けられてもよい）。すなわち、ＨＯＭＡ−Ｒ読み取りシート１は、ＨＯＭＡ−Ｒが第１から第Ｎ（Ｎは１以上の整数である）の値となる場合の空腹時血中インスリンと空腹時血糖との関係をそれぞれ示す第１から第Ｎの双曲線を表示するものであってもよい。その場合に、その第１から第Ｎの双曲線によって分けられたＮ＋１個の領域が、領域ごとに異なる色で着色されていてもよく、あるいは、そうでなくてもよい。
【００２９】
また、前述の式によってＨＯＭＡ−Ｒを算出する方法では、空腹時血糖が１４０（ｍｇ／ｄｌ）、あるいは１８０（ｍｇ／ｄｌ）を超える場合には、不正確になることが知られている。したがって、ＨＯＭＡ−Ｒ読み取りシート１において、空腹時血糖が１４０（ｍｇ／ｄｌ）、あるいは１８０（ｍｇ／ｄｌ）よりも大きい領域を表示しないようにしてもよい。
【００３０】
なお、本実施の形態によるＨＯＭＡ−Ｒ読み取りシート１において、図２で示されるように、第１の補助双曲線３１と、第２の補助双曲線３２をも表示するようにしてもよい。第１及び第２の補助双曲線３１，３２は、ＨＯＭＡ−Ｒが所定の値ごとの空腹時血中インスリンと空腹時血糖との関係を示すものであり、空腹時血中インスリンと空腹時血糖から、ＨＯＭＡ−Ｒのおおよその値を読み取るために用いられるものである。図２において、最も細い線の双曲線が第１の補助双曲線３１であり、その第１の補助双曲線３１よりも太い双曲線であって、第１及び第２の双曲線２１，２２ではない双曲線が第２の補助双曲線３２である。図２では、第１の補助双曲線３１はＨＯＭＡ−Ｒが０．１ごとの空腹時血中インスリンと空腹時血糖との関係を示すものであり、第２の補助双曲線３２はＨＯＭＡ−Ｒが１．０ごとの空腹時血中インスリンと空腹時血糖との関係を示すものである。まだ、第２の補助双曲線３２については、対応するＨＯＭＡ−Ｒの値を示すために、第２の補助双曲線３２のそれぞれの右端に四角で囲った値が表示されている。被験者は、これらの第１及び第２の補助双曲線３１，３２を用いることによって、空腹時血中インスリンと空腹時血糖とから、電卓等を用いずに自らのＨＯＭＡ−Ｒのおおよその値を知ることができる。
【００３１】
なお、図２では、第１の補助双曲線３１を細い線として、第２の補助双曲線３２を太い線とすることによって、両者を区別可能にしているが、それ以外の方法によって両者を区別可能としてもよい。例えば、一方を実線として、他方を破線としてもよく、一方を一点鎖線とし、他方を二点鎖線としてもよく、両者の色が異なるようにしてもよく、両者の明度や輝度が異なるようにしてもよく、両者を区別可能とする方法は問わない。また、図２では、第２の補助双曲線３２についてのみ対応するＨＯＭＡ−Ｒの値を表示するようにしているが、第１の補助双曲線３１についても、対応するＨＯＭＡ−Ｒの値を表示するようにしてもよく、あるいは、両者共に、対応するＨＯＭＡ−Ｒの値を表示しないようにしてもよい。また、図２では、２種類の補助双曲線、すなわち、第１及び第２の補助双曲線３１，３２を表示する場合について示しているが、ＨＯＭＡ−Ｒ読み取りシート１において、両者を区別することなく、１種類の補助双曲線を表示するようにしてもよく、あるいは、３種以上の補助双曲線を表示するようにしてもよい。また、第１及び第２の双曲線２１，２２と、第１及び第２の補助双曲線３１，３２とが区別可能となっていることが好適である。そのため、第１及び第２の双曲線２１，２２と、第１及び第２の補助双曲線３１，３２との種類（例えば、太さや色、実線であるのか、破線であるのかなど）が異なっていてもよく、あるいは、第１から第３の領域がそれぞれ異なる色で着色されていることによって、第１及び第２の双曲線２１，２２と、第１及び第２の補助双曲線３１，３２とが区別可能となっていてもよい。
【００３２】
また、本実施の形態によるＨＯＭＡ−Ｒ読み取りシート１において、図２で示されるように、空腹時血糖が所定の値ごとの第１の目盛線４１と、空腹時血中インスリンが所定の値ごとの第２の目盛線４２と、をさらに表示するようにしてもよい。図２において、第１の目盛線４１は、空腹時血糖が５（ｍｇ／ｄｌ）ごとの目盛線である。また、第２の目盛線４２は、空腹時血中インスリンが１（μＵ／ｍｌ）ごとの目盛線である。被験者は、これらの第１及び第２の目盛線４１，４２を用いることによって、空腹時血中インスリンと空腹時血糖とからＨＯＭＡ−Ｒがどの領域に存在するのかを容易に確認することができるようになる。
【００３３】
図２では、第１及び第２の目盛線４１，４２が破線である場合について示しているが、両者は実線であってもよく、鎖線であってもよく、その他の種類の線であってもよい。また、第１及び第２の目盛線４１，４２の間隔も図２の場合に限定されるものではない。また、図２では、第１及び第２の目盛線４１，４２の両方を表示する場合について示しているが、それらのうちの一方のみを表示するようにしてもよい。
【００３４】
被験者は、図２で表示される第１及び第２の補助双曲線３１，３２と、第１及び第２の目盛線４１，４２とを用いることにより、空腹時血中インスリンと空腹時血糖とから、ＨＯＭＡ−Ｒがどの領域に存在するのかについてと、また、そのだいたいの値とを知ることができる。例えば、空腹時血中インスリンが４（μＵ／ｍｌ）であり、空腹時血糖が９０（ｍｇ／ｄｌ）である場合には、被験者は、第１及び第２の目盛線４１，４２と、第１及び第２の補助双曲線３１，３２とを用いることによって、ＨＯＭＡ−Ｒが第１の領域、すなわちインスリン抵抗性なしの領域に存在することができ、さらに、ＨＯＭＡ−Ｒ≒０．９であると知ることができる。
【００３５】
なお、図２では、説明の便宜上、図１で示されるような領域ごとの網掛けや、領域を特徴付ける文言の領域ごとの表示を行っていないが、それらを行ってもよい。例えば、第１から第３の領域ごとに異なる色で着色することによって、領域の区別が明確になるようにしてもよい。また、図２では、第１及び第２の補助双曲線３１，３２と、第１及び第２の目盛線４１，４２との両方を表示する場合について示しているが、それらのうちの一方のみを表示するようにしてもよい。
【００３６】
また、本実施の形態によるＨＯＭＡ−Ｒ読み取りシート１において、図３で示されるように、空腹時血糖が第１の値となる直線を示す第１の直線と、空腹時血糖が第２の値となる直線を示す第２の直線とをさらに表示するようにしてもよい。図３では、空腹時血糖（ｍｇ／ｄｌ）の第１の値を「１１０」としており、第２の値を「１２６」としている。なお、これらの値は、それらと別の適切な値であってもよいことは言うまでもない。
【００３７】
ここで、糖尿病の診断基準として、空腹時血糖が「１１０」よりも小さい場合に正常であると診断し、「１２６」よりも大きい場合に糖尿病であると診断する基準がある。その場合には、図３で示されるように、第１及び第２の直線５１，５２によって、そのしきい値となる境界線を示すことができ、空腹時血糖が正常であるかどうかを知ることができる。したがって、図３で示されるＨＯＭＡ−Ｒ読み取りシート１を用いることによって、インスリン抵抗性と共に、空腹時血糖が正常かどうかを一緒に判断することができる。例えば、空腹時血糖が１１０よりも小さい場合には、「正常」であると判断することができる。また、空腹時血糖が１１０から１２６の間にある場合には、「境界域」であると判断することができる。また、空腹時血糖が１２６よりも大きい場合には、「異常」であると判断することができる。なお、その判断を容易にするために、図３で示されるように、第１及び第２の直線５１，５２で区切られる領域ごとに、「正常」「境界域」「異常」の文言を表示してもよく、あるいは、表示しなくてもよい。
【００３８】
また、図３では、第１及び第２の直線５１，５２で区切られる領域ごとに異なる種類の網掛けを行っているが、それらの網掛けは異なる色に対応していてもよく、異なる明度や輝度に対応していてもよい。すなわち、第１及び第２の直線５１，５２で区切られる領域が区別しやすいように表示されてもよい。また、第１及び第２の直線５１，５２は、図３で示されるように、それらの直線が明らかに描かれているものであってもよく、あるいは、結果としてその直線の位置が分かるようになっていてもよい。後者の場合としては、例えば、第１の直線５１で区切られる領域が異なる色であることによって、その領域の境界である第１の直線５１の位置が分かるような場合がある。
【００３９】
また、図３では、説明の便宜上、図１で示されるような領域ごとの網掛けや、領域を特徴付ける文言の領域ごとの表示を行っていないが、それらを行ってもよい。例えば、第１から第３の領域ごとに異なる色で着色することによって、領域の区別が明確になるようにしてもよい。
【００４０】
また、図３では、２個の直線、すなわち、第１及び第２の直線５１，５２によって座標平面が３個の領域に分けられている場合について示しているが、そうでなくてもよい。例えば、１個の直線によって座標平面が２個の領域に分けられてもよく、３個の直線によって座標平面が４個の領域に分けられてもよい。すなわち、ＨＯＭＡ−Ｒ読み取りシート１は、空腹時血糖が第１から第Ｍ（Ｍは１以上の整数である）の値となる直線をそれぞれ示す第１から第Ｍの直線をさらに表示するものであってもよい。その場合に、その第１から第Ｍの直線によって分けられたＭ＋１個の領域が、領域ごとに異なる色で着色されていてもよく、あるいは、そうでなくてもよい。
【００４１】
また、本考案は、以上の実施の形態に限定されることなく、種々の変更が可能であり、それらも本考案の範囲内に包含されるものであることは言うまでもない。
【産業上の利用可能性】
【００４２】
以上より、本考案によるＨＯＭＡ−Ｒ読み取りシートによれば、空腹時血中インスリンと空腹時血糖とを用いて、例えば、インスリン抵抗性指数としてのＨＯＭＡ−Ｒが正常な範囲にあるのかどうかなどを容易に知ることができ、ＨＯＭＡ−Ｒの適否を判断するものとして有用である。
【図面の簡単な説明】
【００４３】
【図１】本考案の実施の形態１によるＨＯＭＡ−Ｒ読み取りシートを示す図
【図２】同実施の形態によるＨＯＭＡ−Ｒ読み取りシートの他の一例を示す図
【図３】同実施の形態によるＨＯＭＡ−Ｒ読み取りシートの他の一例を示す図
【符号の説明】
【００４４】
１  ＨＯＭＡ−Ｒ読み取りシート
１１  第１の軸
１２  第２の軸
２１  第１の双曲線
２２  第２の双曲線
３１  第１の補助双曲線
３２  第２の補助双曲線
４１  第１の目盛線
４２  第２の目盛線
５１  第１の直線
５２  第２の直線
【図１】
0003144622.tif 000003
【図２】
0003144622.tif 000004
【図３】
0003144622.tif 000005